(57)【要約】【課題】取出し用具の柄部形成部分を湾曲成形して、スペースの有効利用を可能とすることにより、柄の長さを、満足できる使用勝手を得るのに充分な大きさとし、また組立て前の取出し用具を小さく製作して、その製作および取扱いを容易とすることを目的とする。【解決手段】主体部２の基端に設けた基板片３の両側端縁に、ヒンジ４を介して、合計長さが、主体部２を囲むのに充分な長さとなる長板状の柄板片５を延出連設し、この両柄板片５の延出端部を、互いに係合連結可能な係合端部６として取出し用具１を構成し、柄機能部を充分な長さにすることができることにより、高い使い勝手の良さを得る。【選択図】図１
2006016029.tif 000002
【特許請求の範囲】
【請求項１】
主体部（２）の基端に基板片（３）を一体設し、該基板片（３）の両側端縁に、ヒンジ（４）を介して、合計長さが、前記主体部（２）を囲むのに充分な長さとなる長板状の柄板片（５）を延出連設し、該両柄板片（５）の延出端部を、互いに係合連結可能な係合端部（６）とした、柔軟性を有する合成樹脂製の取出し用具。
【請求項２】
両係合端部（６）の係合連結を、係止用の切欠き（６ａ）を設けて重合された該両係合端部（６）に、前記切欠き（６ａ）に係止する筒片状の係合筒片（７）を外装係合させて達成するものとした請求項１記載の取出し用具。
【請求項３】
主体部（２）の基端に基板片（３）を一体設し、該基板片（３）の両側端縁に、ヒンジ（４）を介して、合計長さが前記主体部（２）を囲むのに充分な長さとなる長板状の柄板片（５）を延出連設し、前記主体部（２）を囲む形態に湾曲した前記両柄板片（５）の延出端部である係合端部（６）の延出端間を、破断し易い連結片（８）を介して、重合した前記両係合端部（６）を外装して係合結合する筒片状の係合筒片（７）で連結して組立て前の取出し用具（１）を構成し、内容物を収納する有底筒状の本体（１０）、または該本体（１０）の上端開口部に着脱可能に組付く有頂短筒状の蓋体（１５）に、前記組立て前の取出し用具（１）を取付け保持した取出し用具を付帯した容器。
【請求項４】
蓋体（１５）の頂板（１６）に、有頂短円筒状の中央膨出部（１９）を形成し、該中央膨出部（１９）内に、組立て前の取出し用具（１）を係止組付け保持した請求項３記載の取出し用具を付帯した容器。
【発明の詳細な説明】
【技術分野】
【０００１】
本発明は、組立て式の取出し用具と、この取出し用具を付帯した蓋付き容器に関するものである。
【背景技術】
【０００２】
従来の組立て式の取出し用具および、この取出し用具を付帯した蓋付き容器として、取出し用具を、取り出し部と、それぞれが直線状となっている第１柄部と第２柄部と第３柄部とから構成し、第２柄部と第３柄部は、第１柄部の端部にヒンジ結合されて、折り返し結合することにより、第１柄部と組合わさって長い柄部分を構成するようにし、この取出し用具を、破断し易い肉薄部を介して蓋に一体設したものがある。
【特許文献１】特開平７−２５７６２７号公報
【０００３】
この従来技術は、取出し用具の柄を長くすることができるので、飲食時における取出し用具の使い勝手がよく、また取出し用具を容器に一体的に付帯させることができるので、取出し用具の携帯が、簡単で安全に達成できる、と云う利点を発揮する。
【発明の開示】
【発明が解決しようとする課題】
【０００４】
しかしながら、上記した従来技術にあっては、実際には、スペース的に、取出し用具の第２、３柄部の長さを充分に大きくすることができず、必ずしも満足できる使い勝手の良さを得ることができるとは限らない、と云う問題があった。
【０００５】
また、取出し用具を蓋に一体設するものであるので、どうしても構造が複雑となり、このため蓋の主要部分である頂板を、後加工で組付ける製作工程を採用しなければならず、その分、製作経費が割高となる、と云う問題があった。
【０００６】
そこで、本発明は、上記した従来技術における問題点を解消すべく創案されたもので、取出し用具の柄部形成部分を湾曲成形して、スペースの有効利用を可能とすることを技術的課題とし、もって柄の長さを、満足できる使用勝手を得るのに充分な大きさとすることを目的とする。
【０００７】
また、柄部形成部分を湾曲成形することにより、組立て前の取出し用具を小さな大きさに成形することを技術的課題とし、もって取出し用具および容器の構造を簡単化して、その製作を容易とすることを目的とする。
【課題を解決するための手段】
【０００８】
上記技術的課題を解決する本発明の内、請求項１記載の発明の手段は、
主体部の基端に基板片を一体設すること、
この基板片の両側端縁に、ヒンジを介して、合計長さが、主体部を囲むのに充分な長さとなる長板状の柄板片を延出連設すること、
この両柄板片の延出端部を、互いに係合連結可能な係合端部とすること、
柔軟性を有する合成樹脂製で成形すること、
にある。
【０００９】
この請求項１記載の発明にあっては、二つの柄板片は、合計した長さが、主体部を囲むのに充分な値としたので、ヒンジで折り曲げて両柄板片を、その係合端部で重合させた状態では、両柄板片が直線状に延びた姿勢となって、充分な長さの柄部分を形成することになる。
【００１０】
長板状の両柄板片は、基板片の両側端縁にヒンジを介して一体に連設されたものであるので、ヒンジを屈曲線として係合端部を重合させた状態では、両柄板片と基板片とで細長の略三角形状を形成することになり、これにより自己形状保持能力の高い柄部を形成することができる。
【００１１】
また、両柄板片は、ヒンジを屈曲線として折れ曲がって係合端部を重合させるので、両係合端部は、その幅面を当接させて重合することになり、それゆえ両柄板片により構成された柄部分は、柄板片の幅方向に大きな機械的強度を発揮することになる。
【００１２】
請求項２記載の発明は、請求項１記載の発明の構成に、両係合端部の係合連結を、係止用の切欠きを設けて重合された両係合端部に、この係合端部の切欠きに係止する筒片状の係合筒片を外装係合させて達成するものとしたこと、を加えたものである。
【００１３】
この請求項２記載の発明にあっては、両柄板片の係合端部を重合させ、この重合した係合端部に係合筒片を単純に外装するだけで、この係合筒片が切欠きに抜け出し不能に係止して、係合端部に対して係合する。
【００１４】
この係合筒片の切欠きに対する係止は、両柄板片の係合端部に対して行われるものであるので、両係合端部は係合筒片を介して、強固に連結固定されることになる。
【００１５】
請求項３記載の発明の構成は、
主体部の基端に基板片を一体設し、この基板片の両側端縁に、ヒンジを介して、合計長さが主体部を囲むのに充分な長さとなる長板状の柄板片を延出連設し、主体部を囲む形態に湾曲した両柄板片の延出端部である係合端部の延出端間を、破断し易い連結片を介して、重合した両係合端部を外装して係合結合する筒片状の係合筒片で連結して構成した組立て前の取出し用具を有すること、
内容物を収納する有底筒状の本体、またはこの本体の上端開口部に着脱可能に組付く有頂短筒状の蓋体に、組立て前の取出し用具を取付け保持した容器を有すること、
にある。
【００１６】
この請求項３記載の発明にあっては、組立て前の取出し用具の両柄板片は、係合筒片で連結して、主体部を囲むリング状に湾曲成形されているので、組立て前の取出し用具は、その柄板片の大きな長さの割には、全体の大きさが小さくなり、これにより容器の本体または蓋体に、無理なく取付け保持することができる。
【００１７】
また、組立て前の取出し用具は、その全体が安定して小さくまとまったものとなっているので、本体または蓋体に対する着脱等の取扱いが行い易い。
【００１８】
請求項４記載の発明は、請求項３記載の発明の構成に、蓋体の頂板に、有頂短円筒状の中央膨出部を形成し、この中央膨出部内に、組立て前の取出し用具を係止組付け保持したこと、を加えたものである。
【００１９】
この請求項４記載の発明にあっては、蓋体と組立て前の取出し用具とは別体物であるので、蓋体の構造が複雑化することがなく、それゆえ蓋体を簡単に成形することができる。
【００２０】
また、組立て前の取出し用具は容器内に収納保持されることになるので、汚れることがなく、速やかに衛生的な使用状態を得ることができる。
【発明の効果】
【００２１】
本発明は、上記した構成となっているので、以下に示す効果を奏する。
請求項１記載の発明にあっては、柄の充分に長い取出し用具を得ることができるので、満足できる使い勝手の良さを確実に得ることができる。
【００２２】
また、両柄板片は、幅面を重合させた姿勢で、基板片と組合わさって細長の略三角形状を形成するので、構造的に高い自己形状保持能力を発揮する、機械的強度の大きい柄部分を形成することができ、これにより良好で安定した取出し使用状態を得ることができる。
【００２３】
請求項２記載の発明にあっては、両柄板片の係合端部の重合結合を、簡単にかつ強固に達成することができ、これにより取出し用具の良好な取扱いを得ることができる。
【００２４】
請求項３記載の発明にあっては、組立て前の取出し用具の大きさを小さくすることができ、これにより容器の本体または蓋体に、無理なく取付け保持することができると共に、取扱いが簡単で容易となり、これにより取出し用具を付帯した容器の組立てが、きわめて容易となる。
【００２５】
また、組立て前の取出し用具を容器とは別体物としたので、容器の構造を複雑化することがなく、これにより容器は当然のこととして、組立て前の取出し用具もその成形が容易となり、製作経費が大きくなるのを防止することができる。
【００２６】
請求項４記載の発明にあっては、蓋体の構造の複雑化を防止することができると共に、取出し用具の衛生的な使用を、速やかにかつ手間をかけることなく得ることができる。
【発明を実施するための最良の形態】
【００２７】
以下、本発明の実施形態例を、図面を参照しながら説明する。
図１は、本発明による取出し用具１の最終組立て作業状態を示すもので、取出し用具１は、主体部２と、基板片３と、一対の柄板片５と、そして係合筒片７とから、ポリエチレン等の柔軟性を有する合成樹脂材料で一体に成形されて構成されている。
【００２８】
図示実施例の場合、アイスクリーム、シャーベット、ヨーグルト等の内容物を取り出す目的から、主体部２は、スプーンの頭部部分の構造となっているが、この主体部２はスプーン状に限定されることはなく、使用目的に対応して、フォーク状さらにはナイフ状に構成しても良い。
【００２９】
基板片３は、主体部２の基端に、この主体部２を幅広表面から起立設した形態で連設された板片状となっていて、スプーン状の主体部２が上向きとなった姿勢時に側端となる両側端縁から、主体部２とは反対側を溝状としたヒンジ４を介して長板状の柄板片５をそれぞれ延出連設している。
【００３０】
両柄板片５は、その合計長さが、湾曲して主体部２を囲むのに充分な長さを有しており、その延出端部である係合端部６には、両幅方向端部に係止用の切欠き６ａが設けられている。
【００３１】
両柄板片５の重合された係合端部６に外装係合する係合筒片７は、四角短筒片構造をしていて、重合した両係合端部６に嵌め込み外装することにより、切欠き６ａに離脱不能に係止して、重合した両係合端部６に強固に係合する。
【００３２】
柄を構成する両柄板片５は、主体部２の上向き方向と一致する上下方向にその幅面を沿わせているので、係合筒片７で結合されて略三角形状となったことと相成って、柄として安定した機械的強度を発揮する。
【００３３】
図２は、組立て前の取出し用具１を、蓋体１５内に組付け保持した容器９の一実施形態を示すもので、上方にやや拡径有底円筒形状をした本体１０と、頂板１６に有頂短円筒状の中央膨出部１９を設けた有頂短円筒状の蓋体１５とを組合わせて構成されている。
【００３４】
本体１０は、上方にやや拡径した円筒形状をした胴筒１１の下端部に、下に脚筒片１４を残して底板１２を連設し、胴筒１１の上端に、外鍔状の開口フランジ１３を連設して構成されている。
【００３５】
蓋体１５は、内部に組立て前の取出し用具１の収納空間を形成する中央膨出部１９を起立設した円板状の頂板１６の周端縁から、本体１０の開口フランジ１３に外嵌する短円筒状の組付き筒片１７を垂下設して構成されており、この組付き筒片１７には、開口フランジ１３を乗り越えて下方から係止して、蓋体１５の本体１０に対する被嵌状の組付きを確保する複数の係止突片１８が形成されており、同様に中央膨出部１９の筒壁の下端部には、この中央膨出部１９内に挿入された組立て前の取出し用具１に下方から係止して、その挿入組付きを保持する係止突条片２０が設けられている。
【００３６】
この中央膨出部１９内に挿入組付けされる組立て前の取出し用具１は、図３に示すように、両柄板片５を、主体部２を囲む方向に湾曲させて、係合端部６の延出端を対向させ、この対向した係合端部６の延出端間を、破断し易い連結片８を介して係合筒片７で連結して構成されているが、取出し用具１は、この組立て前の姿勢で射出成形される。
【００３７】
この組立て前の取出し用具１は、主体部２を囲んで、係合筒片７で両柄板片５を、安定した丸く湾曲させた姿勢とした構造となっているので、両柄板片５の長さが大きい割には、全体が小型にまとめられたものとなり、これにより安全に簡単な取り扱いを得ることができる。
【００３８】
取出し用具１の組立て前状態からの組立ては、まず両連結片８を破断して係合筒片７を柄板片５から分離し、次いで両柄板片５を、その係合端部６を重合させ、そのままこの重合した両係合端部６に係合筒片７を外装係合（図１参照）させて達成される。
【００３９】
なお、図示実施形態例は、組立て前の取出し用具１を、蓋体１５の中央膨出部１９内に係止収納した構成例を示したが、組立て前の取出し用具１の付帯保持個所は、蓋体１５内に特定されることはなく、例えば本体１０の底板１２と脚筒片１４とで囲まれた空間（図２および図４参照）に取付け保持しても良い。
【００４０】
図２および図４に示した実施形態例は、シャーベット状飲料内容物の取出しに、好適に適応すべく、すくい上げと吸い上げの両方を選択できるように、容器９に、組立て前の取出し用具１の外に、曲がり可能な蛇腹部を有するストローを飲食補助用具２１として付帯させたもので、この飲食補助用具２１を、本体１０の底板１２と脚筒片１４とにより形成される空間内に、薄い袋２２内に密収納した状態で、接着等の適当な手段で取付け保持したものである。
【図面の簡単な説明】
【００４１】
【図１】本発明による取出し用具の一実施形態例を示す、組立て直前の全体外観斜視図である。
【図２】本発明による容器の一実施形態を示す、半縦断全体正面図である。
【図３】図２に示された組立て前の取出し用具を示す、全体外観斜視図である。
【図４】図２に示した容器底部の状態を示す、外観斜視図である。
【符号の説明】
【００４２】
１    ；  取出し用具
２    ；  主体部
３    ；  基板片
４    ；  ヒンジ
５    ；  柄板片
６    ；  係合端部
６a  ；  切欠き
７    ；  係合筒片
８    ；  連結片
９    ；  容器
１０  ；  本体
１１  ；  胴筒
１２  ；  底板
１３  ；  開口フランジ
１４  ；  脚筒片
１５  ；  蓋体
１６  ；  頂板
１７  ；  組付き筒片
１８  ；  係止突片
１９  ；  中央膨出部
２０  ；  係止突条片
２１  ；  飲食補助用具
２２  ；  袋
【図１】
2006016029.tif 000003
【図２】
2006016029.tif 000004
【図３】
2006016029.tif 000005
【図４】
2006016029.tif 000006